(57)【要約】【課題】ノズル部材の組み付けを安定に維持すること。【解決手段】内容液を噴射する射出筒部１１を有する噴出器本体２と、射出筒部の前端部に装着された中継部材４と、ノズル孔６が形成され、中継部材に対して組み合わされたノズル部材５とを備え、中継部材は、閉塞壁部９０と、ノズル部材が装着される装着筒部９２と、閉塞壁部のうち装着筒部の内側に位置する部分から前方に向けて突設された第１嵌合筒部９３とを備え、ノズル部材は、ノズル孔が形成されたノズル壁部１００と、第１嵌合筒部に密に嵌合する第２嵌合筒部１０２とを備え、射出筒部内とノズル孔とは第１嵌合筒部内及び第２嵌合筒部内を通じて連通する、液体噴出器１を提供する。【選択図】図１
2018103105.tif 000002
【特許請求の範囲】
【請求項１】
内容液が収容された容器体に装着され、内容液を噴射する射出筒部を有する噴出器本体と、
前記射出筒部の前端部に装着された中継部材と、
ノズル孔が形成され、前記中継部材に対して前方から組み合わされたノズル部材と、を備え、
前記中継部材は、前記射出筒部の前端開口部を前方から覆う閉塞壁部と、前記閉塞壁部から前方に向けて突設され、前記ノズル部材が装着される装着筒部と、前記閉塞壁部のうち、前記装着筒部の内側に位置する部分から前方に向けて突設された第１嵌合筒部と、を備え、
前記ノズル部材は、前記ノズル孔が形成されたノズル壁部と、前記ノズル壁部から後方に向けて突設され、前記第１嵌合筒部に密に嵌合する第２嵌合筒部と、を備え、
前記射出筒部内と前記ノズル孔とは、前記第１嵌合筒部内及び前記第２嵌合筒部内を通じて連通する、液体噴出器。
【請求項２】
請求項１に記載の液体噴出器において、
前記ノズル孔は、内容液の噴射が可能となる噴射可能状態と、内容液の噴射が規制される噴射規制状態と、に切り換え可能とされている、液体噴出器。
【請求項３】
請求項２に記載の液体噴出器において、
前記ノズル部材は、前記中継部材に対して相対移動可能に組み合わされ、
前記第２嵌合筒部は、前記第１嵌合筒部の内側に密に嵌合し、
前記閉塞壁部のうち、前記第１嵌合筒部の内側に位置する部分には、前方に向けて突設されると共に、前記第２嵌合筒部の内側に密に接触するガイド軸部が形成され、
前記第２嵌合筒部と前記ガイド軸部との間には、前記中継部材に対する前記ノズル部材の相対移動に伴って、前記第１嵌合筒部内及び前記第２嵌合筒部内を通じた、前記射出筒部内と前記ノズル孔との連通及びその遮断を切り換える切換通路が形成され、
前記ノズル部材は、前記射出筒部内と前記ノズル孔とを連通させる連通位置と、前記射出筒部内と前記ノズル孔との連通を遮断する遮断位置と、の間を移動可能とされ、この移動によって前記噴射可能状態と前記噴射規制状態とを切り換える、液体噴出器。
【請求項４】
請求項３に記載の液体噴出器において、
前記ノズル部材は、前記ガイド軸部の軸線回りに前記中継部材に対して回転可能に組み合わされ、
前記ノズル部材は、前記連通位置と前記遮断位置との間を回転可能とされ、この回転によって前記噴射可能状態と前記噴射規制状態とを切り換える、液体噴出器。
【発明の詳細な説明】
【技術分野】
【０００１】
本発明は、液体噴出器に関する。
【背景技術】
【０００２】
従来から、内容液の噴射を任意のタイミングで規制することができる液体噴出器が知られている。この種の液体噴出器としては、例えば単純にノズル孔を開放可能に閉塞する閉塞部材を具備する液体噴出器や、ノズル部材を操作することで内容液の噴射及び停止を切り換えることができる液体噴射器が知られている。
【０００３】
例えば、下記特許文献１に示される液体噴出器は、噴出器本体における装着筒部に回転可能に装着された二重筒状のノズル部材と、装着筒部に対するノズル部材の回転に伴って、噴出器本体内に連通する液流路とノズル孔との連通及びその遮断を切り替える切換機構と、を備え、ノズル部材の回転操作によって、内容液の噴射及び停止の切り換えを行うことが可能とされている。具体的には、装着筒部に対してノズル部材を所定回転毎に回転させることで、液流路とノズル孔とが連通して内容液の噴射が可能とされた噴射可能状態と、液流路とノズル孔との連通が遮断されて内容液の噴射が規制された噴射規制状態と、の切り換えを行うことが可能とされている。
これにより、例えば商品流通時や保管時等には内容液の噴射を規制することが可能とされている。
【先行技術文献】
【特許文献】
【０００４】
【特許文献１】特開２００７−２５２９９８号公報
【発明の概要】
【発明が解決しようとする課題】
【０００５】
ところで、上記従来の液体噴出器において、例えば噴射規制状態で内容液を噴射させる操作が行われた場合には、外部への内容液の噴射が規制されているので液体噴出器内において内圧が上昇してしまう。この場合、装着筒部内においても内圧が上昇するので、この内圧上昇によって装着筒部からノズル部材を押し外すような応力がノズル部材に作用してしまう。また、噴射規制状態だけに限られず、噴射可能状態であっても例えば落下時又はトリガーを強く操作した場合等には、上述と同様に装着筒部からノズル部材を押し外すような応力がノズル部材に作用してしまう。
【０００６】
このように、上記従来の液体噴出器では、噴射規制状態及び噴射可能状態のいずれの場合であっても、装着筒部からノズル部材を押し外すような応力がノズル部材に作用することがあり、例えば装着筒部に対するノズル部材の装着（組み付け）が不安定になるおそれや、装着筒部からノズル部材が脱離する等のおそれがあった。
【０００７】
本発明は、このような事情に鑑みてなされたものであって、その目的は、ノズル部材の組み付けを安定に維持することができる液体噴出器を提供することである。
【課題を解決するための手段】
【０００８】
（１）本発明に係る液体噴出器は、内容液が収容された容器体に装着され、内容液を噴射する射出筒部を有する噴出器本体と、前記射出筒部の前端部に装着された中継部材と、ノズル孔が形成され、前記中継部材に対して前方から組み合わされたノズル部材と、を備え、前記中継部材は、前記射出筒部の前端開口部を前方から覆う閉塞壁部と、前記閉塞壁部から前方に向けて突設され、前記ノズル部材が装着される装着筒部と、前記閉塞壁部のうち、前記装着筒部の内側に位置する部分から前方に向けて突設された第１嵌合筒部と、を備え、前記ノズル部材は、前記ノズル孔が形成されたノズル壁部と、前記ノズル壁部から後方に向けて突設され、前記第１嵌合筒部に密に嵌合する第２嵌合筒部と、を備え、前記射出筒部内と前記ノズル孔とは、前記第１嵌合筒部内及び前記第２嵌合筒部内を通じて連通する。
【０００９】
本発明に係る液体噴出器によれば、射出筒部内からの内容液は、ノズル部材が組み合わされる装着筒部内ではなく、装着筒部よりも小径とされた第１嵌合筒部内から第２嵌合筒部内を通じてノズル孔に供給される。従って、仮に何らかの理由によって液体噴出器内の内圧が上昇したとしても、装着筒部よりも小径の第１嵌合筒部内で内圧が上昇するので、この内圧上昇によってノズル部材が受ける応力を低減することができる。つまりノズル部材は、第１嵌合筒部内の内圧によって中継部材から前方に向けて離間するような応力を受けるが、第１嵌合筒部が装着筒部よりも小径であるので、装着筒部内に内容液が存在していた従来に比べて、ノズル部材が上記応力を受ける受圧面積を低減することができる。
従って、ノズル部材に作用する受圧面積自体を低減することができ、ノズル部材が前方に向けて押されてしまうことを抑制することができる。これにより、中継部材とノズル部とを安定に組み合わせた状態にすることができ、中継部材に対するノズル部材の組み付けを安定に維持することができる。その結果、例えば内容液を安定且つ精度良く噴射させることができるうえ、液漏れを生じ難くさせることもできる。
【００１０】
（２）前記ノズル孔は、内容液の噴射が可能となる噴射可能状態と、内容液の噴射が規制される噴射規制状態と、に切り換え可能とされても良い。
【００１１】
この場合には、例えば商品流通時や保管時等において、ノズル孔を噴射可能状態から噴射規制状態に切り換えて、ノズル孔を通じた内容液の噴射を規制することができるので、ノズル孔からの液漏れを抑制することができる。
特に、噴射規制状態において液体噴出器内の内圧が上昇したとしても、先に述べたように、ノズル部材に作用する受圧面積自体が低減していることでノズル部材が前方に向けて押されてしまうことが抑制され、中継部材に対するノズル部材の組み付けが安定に維持されている。従って、噴射規制状態において液漏れを効果的に抑制することができる。
【００１２】
（３）前記ノズル部材は、前記中継部材に対して相対移動可能に組み合わされ、前記第２嵌合筒部は、前記第１嵌合筒部の内側に密に嵌合し、前記閉塞壁部のうち、前記第１嵌合筒部の内側に位置する部分には、前方に向けて突設されると共に、前記第２嵌合筒部の内側に密に接触するガイド軸部が形成され、前記第２嵌合筒部と前記ガイド軸部との間には、前記中継部材に対する前記ノズル部材の相対移動に伴って、前記第１嵌合筒部内及び前記第２嵌合筒部内を通じた、前記射出筒部内と前記ノズル孔との連通及びその遮断を切り換える切換通路が形成され、前記ノズル部材は、前記射出筒部内と前記ノズル孔とを連通させる連通位置と、前記射出筒部内と前記ノズル孔との連通を遮断する遮断位置と、の間を移動可能とされ、この移動によって前記噴射可能状態と前記噴射規制状態とを切り換えても良い。
【００１３】
この場合には、中継部材に対してノズル部材を相対移動させて、連通位置と遮断位置との間を移動させる操作を行うことで、切換通路を利用して射出筒部内とノズル孔との連通及びその遮断を切り換えることができる。このように、中継部材に対してノズル部材を移動させるだけの簡便な操作で噴射可能状態と噴射規制状態とを速やかに切り換えることができるので、操作性をより向上させることができる。
特に、ノズル部材が遮断位置に位置している場合には、第２嵌合筒部とガイド軸部との間に形成された切換通路を内容液が流れることがないので、第１嵌合筒部の内周面とガイド軸部の外周面との間に画成された環状空間内に内容液を留めることができる。そのため、ノズル部材が遮断位置に位置することで噴射規制状態になっているときに、液体噴出器内での内圧が上昇したとしても、環状空間内での内圧がノズル部材に作用するので、ガイド軸部分の面積を除外することができ、ノズル部材の受圧面積をさらに低減することができる。従って、中継部材に対するノズル部材の組み付けをさらに安定に維持することができる。
【００１４】
（４）前記ノズル部材は、前記ガイド軸部の軸線回りに前記中継部材に対して回転可能に組み合わされ、前記ノズル部材は、前記連通位置と前記遮断位置との間を回転可能とされ、この回転によって前記噴射可能状態と前記噴射規制状態とを切り換えても良い。
【００１５】
この場合には、中継部材に対してノズル部材を回転させるだけの簡便な操作で噴射可能状態と噴射規制状態とを速やかに切り換えることができる。
【発明の効果】
【００１６】
本発明に係る液体噴出器によれば、ノズル部材の組み付けを安定に維持することができるので、内容液を安定且つ精度良く噴射させることができる。従って、作動の信頼性が向上した高品質な液体噴出器とすることができる。さらに、保管時や商品流通等においては、液漏れを効果的に抑制することができる。
【図面の簡単な説明】
【００１７】
【図１】本発明に係る液体噴出器であるトリガー式液体噴出器の実施形態を示す縦断面図である。
【図２】図１に示すノズル部材の周辺を拡大した縦断面図である。
【図３】図２に示すＢ−Ｂ線に沿った断面図である。
【図４】図３に示す状態からノズル部材を回転させて遮断位置から連通位置に位置させた状態を示す断面図である。
【発明を実施するための形態】
【００１８】
以下、本発明に係る液体噴出器の実施形態について図面を参照して説明する。なお、本実施形態では、液体噴出器としてトリガー式液体噴出器を例に挙げて説明する。
【００１９】
図１に示すように、本実施形態のトリガー式液体噴出器１は、内容液が収容された容器体Ａに装着キャップ３を介して装着され、内容液を吸上げる縦供給筒部１０及び内容液を前方に向けて噴射する射出筒部１１を有する噴出器本体２と、射出筒部１１の前端部（先端部）に装着された中継部材４と、中継部材４に対して前方から組み合わされ、内容液を噴射させるノズル孔６が形成されたノズル部材５と、を備えている。
なお、トリガー式液体噴出器１の各構成は、特に記載がなければ合成樹脂を用いた成型品とされている。
【００２０】
本実施形態では、縦供給筒部１０の中心軸線を軸線Ｏ１とし、この軸線Ｏ１に沿って容器体Ａ側を下側、その反対側を上側といい、軸線Ｏ１に沿う方向を上下方向という。また、上下方向から見た平面視において、軸線Ｏ１に直交する一方向を前後方向といい、上下方向及び前後方向の双方向に直交する方向を左右方向という。
【００２１】
噴出器本体２は、上下方向に延在する上記縦供給筒部１０と、縦供給筒部１０の前方に配置され、内側が縦供給筒部１０の内部に連通した上記射出筒部１１と、を備え、左右方向から見た側面視でＬ字状に形成されている。
なお、前後方向のうち、縦供給筒部１０に対して射出筒部１１が位置する方向を前側或いは前方とし、その反対方向を後側或いは後方という。
【００２２】
縦供給筒部１０は、有頂筒状の外筒１２と、外筒１２内に嵌合される内筒１３と、を備えている。
外筒１２は、大径部１２ａと、大径部１２ａの上方に配置され、且つ大径部１２ａよりも径が小さい小径部１２ｂと、大径部１２ａの上端部と小径部１２ｂの下端部とを連結するフランジ部１２ｃと、を備え、下方から上方に向けて縮径した二段筒状に形成されている。なお、小径部１２ｂは頂壁部１２ｄによって上部開口部が塞がれている。
【００２３】
内筒１３は、大径部１３ａと、大径部１３ａの上方に配置され、且つ大径部１３ａよりも径が小さい小径部１３ｂと、大径部１３ａの上端部と小径部１３ｂの下端部とを連結するフランジ部１３ｃと、を備え、下方から上方に向けて縮径した二段筒状に形成されている。
【００２４】
内筒１３の小径部１３ｂ内には、容器体Ａ内に配置され、且つ容器体Ａの図示しない底部に下端開口が位置するパイプ１５の上部が嵌合されている。内筒１３のフランジ部１３ｃは、外筒１２のフランジ部１２ｃとの間に隙間Ｓ１を確保した状態で、外筒１２のフランジ部１２ｃよりも下方に位置している。
【００２５】
内筒１３の大径部１３ａにおいて、外筒１２の大径部１２ａから下方に突出した部分には、その径方向の外側に向けて突出する環状の鍔部１３ｄが形成されている。鍔部１３ｄは、容器体Ａの口部Ａ１に装着（例えば螺着）される上記装着キャップ３の上端部内に配設され、装着キャップ３の上端部をその軸線回りに回転可能に係止する。
鍔部１３ｄは、装着キャップ３と容器体Ａの口部Ａ１における上端開口縁とにより上下方向に挟まれる。
なお、外筒１２及び内筒１３で構成される縦供給筒部１０の軸線Ｏ１は、容器体Ａの容器軸に対して後方に偏心している。
【００２６】
射出筒部１１は、後端部が縦供給筒部１０における上端部の前側に接続されている。射出筒部１１の内部は、外筒１２に形成された外側吐出孔１６、及び内筒１３に形成された内側吐出孔１７を通じて縦供給筒部１０の内部に連通している。なお、実施形態では、射出筒部１１の中心軸線を軸線Ｏ２という。
【００２７】
内筒１３の上端部側の内側には、上下方向に弾性変形可能に形成された吐出弁３０が配置されている。
吐出弁３０は、内筒１３内に嵌合され、外筒１２における頂壁部１２ｄの下面に当接するベース部３１と、ベース部３１の下方に配置され、内筒１３の内周面に段差状に形成された弁座３２に対して上方から当接する弁体３３と、ベース部３１及び弁体３３を上下に連結する中空ばね部３４と、を備えている。
【００２８】
弁体３３は、中空ばね部３４によって上方から押圧されており、弁座３２に対して例えば密に接触している。これにより弁体３３は、内筒１３内における弁座３２よりも上方に位置する空間と、弁座３２よりも下方に位置する空間と、の連通を遮断している。
なお、弁体３３は中空ばね部３４の付勢力に抗して上昇し、弁座３２から離間することで、内筒１３内における弁座３２よりも上方に位置する空間と、弁座３２よりも下方に位置する空間と、を連通させる。
【００２９】
内筒１３の内周面のうち弁座３２よりも下方に位置し、且つパイプ１５の上端よりも上方に位置する部分には、内側に向けて突出する環状のテーパ筒部３５が形成されている。
このテーパ筒部３５は、下方に向かうに従って漸次縮径している。テーパ筒部３５の内側には、テーパ筒部３５の内周面に離反可能に着座するボール弁３６が配置されている。ボール弁３６は、内筒１３内において、テーパ筒部３５よりも上方に位置する空間と、テーパ筒部３５よりも下方に位置する空間と、を連通及び遮断する。
【００３０】
外筒１２において、射出筒部１１よりも下方に位置する部分には、前方に向けて突出するシリンダ用筒部４０が一体に形成されている。
シリンダ用筒部４０は、前方に向けて開口していると共に、部分的に外筒１２におけるフランジ部１２ｃと一体に形成されている。
【００３１】
噴出器本体２は、射出筒部１１から下方に向けて延び、前方付勢状態で後方に揺動可能（移動可能）に配置されたトリガー部５１と、トリガー部５１の揺動に連動して前後方向に移動する主ピストン５２と、主ピストン５２の移動に伴って内部が加圧及び減圧する主シリンダ５３と、トリガー部５１を前方に付勢する弾性板部５４と、縦供給筒部１０及び射出筒部１１の全体を、上方、左右方向及び後方から覆うカバー体５５と、をさらに備えている。
【００３２】
上述した吐出弁３０、ボール弁３６、トリガー部５１、主ピストン５２、主シリンダ５３及び弾性板部５４は、トリガー部５１の後方への揺動によって、内容液を縦供給筒部１０内から射出筒部１１内に導入させると共に、射出筒部１１内からノズル孔６側に射出させるトリガー機構５０を構成する。
【００３３】
主シリンダ５３は、前方に向けて開口する外筒部６０と、外筒部６０の後方開口部を塞ぐ後壁部６１と、後壁部６１の中央部分から前方に向けて突設されると共に前端が閉塞された有頂筒状のピストンガイド６２と、を備えている。
【００３４】
ピストンガイド６２は内側が後方に開口しており、この開口内に、シリンダ用筒部４０における後壁（外筒１２の小径部１２ｂ）から前方に向けて突設された嵌合突部４１が嵌合されている。
外筒部６０は、シリンダ用筒部４０の内側に嵌合されている。シリンダ用筒部４０の内周面と外筒部６０の外周面とは、前後方向の両端部において密接している。その一方、シリンダ用筒部４０の内周面と外筒部６０の外周面との間のうち、前後方向の両端部同士の間に位置する中間部には、環状の隙間Ｓ２が確保されている。
【００３５】
外筒部６０には、外筒部６０の内側と上記隙間Ｓ２とを連通させる第１通気孔６３が形成されている。外筒１２のフランジ部１２ｃには、上記隙間Ｓ２と、外筒１２のフランジ部１２ｃと内筒１３のフランジ部１３ｃとの間に画成された隙間Ｓ１と、を連通させる第２通気孔６４が形成されている。さらに、内筒１３のフランジ部１３ｃには、上記隙間Ｓ１と、内筒１３の大径部１３ａ及び装着キャップ３の内側と、を連通させる第３通気孔６５が形成されている。
【００３６】
主シリンダ５３の後壁部６１には、ピストンガイド６２の上方に位置する部分に、外筒１２及び主シリンダ５３を前後方向に貫く第１貫通孔６６が形成されている。図示の例では、後壁部６１における第１貫通孔６６の開口周縁部に、後方に向けて突出する筒部が形成されており、この筒部が外筒１２の小径部１２ｂに形成された貫通孔内に嵌合されている。
【００３７】
第１貫通孔６６は、縦供給筒部１０の内筒１３に形成された第２貫通孔６７を通じて、内筒１３内のうち、吐出弁３０とボール弁３６との間に位置する空間に連通している。
これにより、主シリンダ５３の内側は、第１貫通孔６６及び第２貫通孔６７を通じて、内筒１３内のうち、吐出弁３０とボール弁３６との間に位置する空間に連通している。
従って、吐出弁３０が射出筒部１１内と主シリンダ５３内との連通及びその遮断を切換え、ボール弁３６が容器体Ａ内と主シリンダ５３内との連通及びその遮断を切換える。
【００３８】
主ピストン５２は、トリガー部５１に連結される円柱状の連結部７０と、連結部７０よりも後方に位置し、連結部７０よりも大径とされたピストン筒７１と、を備え、全体として後方に開口した筒状に形成されている。
なお、主シリンダ５３及び主ピストン５２は、前後方向に沿って延びる図示しない共通の軸線上に配置されている。
【００３９】
ピストン筒７１は、後方に向けて開口し、且つ内部にピストンガイド６２が挿入されるピストン本体部７２と、ピストン本体部７２の後端部からその径方向の外側に向けて突出し、且つ外筒部６０の内周面に例えば密に摺接する摺動筒部７３と、を備えている。
【００４０】
ピストン本体部７２は、内径がピストンガイド６２の外径よりも大きく形成されている。図示の例では、ピストン本体部７２の内周面とピストンガイド６２の外周面との間には若干の隙間があいている。
摺動筒部７３は、前後方向の中央部から前方及び後方に向かうに従って漸次拡径するテーパ状に形成され、前後方向の両端部に位置するリップ部７３ａが外筒部６０の内周面に対して摺接している。
【００４１】
主ピストン５２の連結部７０は、後述する連結軸８６を介してトリガー部５１に連結されている。これにより、主ピストン５２は、トリガー部５１と共に弾性板部５４の付勢力によって前方に付勢されていると共に、トリガー部５１の後方への揺動に伴って後方に移動して主シリンダ５３内に押し込まれる。
【００４２】
トリガー部５１が最前方揺動位置（最前方移動位置）にあるときに、主ピストン５２の摺動筒部７３は第１通気孔６３を閉塞している。そして、トリガー部５１の後方への揺動によって主ピストン５２が所定量だけ後方移動したときに、摺動筒部７３が第１通気孔６３を開放する。これにより、容器体Ａの内部は、第３通気孔６５、第２通気孔６４及び第１通気孔６３を通じて外部に連通する。
【００４３】
トリガー部５１は、左右方向から見た側面視で後方に向けて凹状に湾曲する前面を有する主板部材８０と、主板部材８０の左右の側縁部から後方に向けて起立する一対の側板部材８１と、を備えている。
【００４４】
一対の側板部材８１の上端部には、射出筒部１１の側方に至るまで上方に延出し、射出筒部１１を左右方向から挟み込む一対の連結板８２が形成されている。一対の連結板８２には、左右方向の外側に向けて回転軸部８３が突設されている。これら回転軸部８３は、射出筒部１１の上方を覆う上板部材８４に設けられた軸受け部に回動可能に支持されている。これにより、トリガー部５１は、回転軸部８３を中心に前後方向に揺動可能とされている。
【００４５】
トリガー部５１には、主板部材８０を前後方向に貫通する開口部５１ａが形成されていると共に、開口部５１ａの周縁部から後方に向けて延びるように連結筒８５が形成されている。
連結筒８５の内周面のうち後方側に位置する部分には、連結筒８５の内側に向けて左右方向に沿って突出した一対の連結軸８６が形成されている。これら連結軸８６は、主ピストン５２の連結部７０に形成された連結孔内に挿入されている。これにより、トリガー部５１と主ピストン５２とは、互いに連結されている。
【００４６】
なお、主ピストン５２の連結部７０は、連結軸８６に対してその軸線回りに回動可能とされ、且つ上下方向で所定量だけ移動可能に連結されている。これにより、トリガー部５１の前後方向への揺動に伴って、主ピストン５２は前後移動可能とされている。
【００４７】
射出筒部１１の上面には、縦供給筒部１０における外筒１２の頂壁部１２ｄに連結される水平板状の上記上板部材８４が取り付けられている。
上板部材８４の左右両側には、左右方向から見た側面視で前方に凸の円弧状に形成され、且つ射出筒部１１の下方まで延びる上記弾性板部５４がそれぞれ一体的に形成されている。弾性板部５４は、左右方向から見た側面視で互いに同心の円弧状に形成され、前後に並ぶ一対の板ばねを備えている。
【００４８】
一対の板ばねのうち、前側に位置する板ばねが主板ばね５４ａとされ、後側に位置する板ばねが副板ばね５４ｂとされている。
これら主板ばね５４ａ及び副板ばね５４ｂの下端部は、円弧状の折返し部５４ｃを介して一体的に接続されている。折返し部５４ｃには、下方に向けて係止片５４ｄが突設されており、この係止片５４ｄがトリガー部５１における側板部材８１に形成されたポケット部８１ａに上方から差し込まれて係合している。
これにより、弾性板部５４は、係止片５４ｄ及びポケット部８１ａを介してトリガー部５１を前方に向けて付勢している。
【００４９】
トリガー部５１の主板部材８０の上端部は、弾性板部５４による付勢によって後述する中継部材４における隔壁９０の下端部に対して後方から当接している。これにより、トリガー部５１は最前方揺動位置に位置決めされている。
なお、最前方揺動位置からトリガー部５１が後方に引かれて移動すると、弾性板部５４が係止片５４ｄを介して折返し部５４ｃを後方に移動させるように弾性変形する。このとき、弾性板部５４は、主板ばね５４ａよりも副板ばね５４ｂが大きく弾性変形する。
【００５０】
なお、係止片５４ｄは、トリガー部５１が後方に引かれた場合であっても、ポケット部８１ａから上方に抜け出しつつもトリガー部５１が最後方揺動位置（最後方移動位置）に至るまでポケット部８１ａへの係合状態を維持する。
【００５１】
図１及び図２に示すように、中継部材４は、射出筒部１１の前端開口部よりも前方側に位置し、射出筒部１１の前端開口部に対して対向配置されることで前端開口部を前方から覆う隔壁（閉塞壁部）９０と、隔壁９０から後方に向けて延び、射出筒部１１に外嵌された外嵌筒部９１と、隔壁９０から前方に向けて延び、ノズル部材５が装着される第１装着筒部（装着筒部）９２と、隔壁９０のうち、第１装着筒部９２の内側に位置する部分から前方に向けて延びる第１嵌合筒部９３と、隔壁９０のうち、第１嵌合筒部９３のさらに内側に位置する部分から前方に向けて延びるガイド軸部９４と、を備えている。
【００５２】
第１装着筒部９２、第１嵌合筒部９３及びガイド軸部９４は、射出筒部１１の軸線Ｏ２に対して下方に偏心した中心軸線（以下、軸線Ｏ３と称する）に沿って前方に延びている。なお、本実施形態では、軸線Ｏ３方向から見た正面視で軸線Ｏ３に直交する方向を径方向といい、軸線Ｏ３回りに周回する方向を周方向という。
【００５３】
隔壁９０の下端部は、トリガー部５１における主板部材８０の上端部に対して前方から接触している。これにより、上述したようにトリガー部５１は、最前方揺動位置に位置決めされている。また、カバー体５５は隔壁９０の上端縁に配置された状態で組み付けられている。
【００５４】
ガイド軸部９４は、前端部が閉塞され、且つ後方に開口した有頂筒状に形成されている。ただし、ガイド軸部９４の形状はこの場合に限定されるものではなく、例えば中実の円柱状に形成しても構わない。
ガイド軸部９４は第１装着筒部９２よりも前方に突出することなく、第１装着筒部９２の内側に収まるように形成されている。
【００５５】
隔壁９０のうち、ガイド軸部９４の上方に位置し、且つ第１嵌合筒部９３の内側に位置する部分には、射出筒部１１内に連通する連通孔９５が形成されている。これにより、ガイド軸部９４と第１嵌合筒部９３との間に画成された環状空間９６は、連通孔９５を通じて射出筒部１１内に連通している。
【００５６】
第１嵌合筒部９３は、第１装着筒部９２の内側に収まる程度の突出量で前方に突出している。図示の例では、第１嵌合筒部９３の前方への突出量は、第１装着筒部９２及びガイド軸部９４における前後方向の中央部分に達しない程度の突出量とされている。
【００５７】
ガイド軸部９４における前端部側の外周面には、図２及び図３に示すように、軸線Ｏ３方向に沿って直線状に延びると共に前方に向けて開口する第１切換溝９７が形成されている。図示の例では、第１切換溝９７は周方向に等間隔をあけて２つ形成されている。ただし、第１切換溝９７の数は２つに限定されるものではなく、例えば１つ或いは３つ以上形成されていても良い。
【００５８】
ノズル部材５は、図１及び図２に示すように、第１装着筒部９２を介して中継部材４に装着されることで、中継部材４に対して前方から一体に組み合わされている。本実施形態では、ノズル部材５は中継部材４に対して軸線Ｏ３回りに回転可能に装着されている。
【００５９】
ノズル部材５は、ガイド軸部９４の前端面に対して対向配置され、ノズル孔６が形成されたノズル壁部１００と、ノズル壁部１００から後方に向けて延び、第１装着筒部９２に対して前方から連結された第２装着筒部１０１と、ノズル壁部１００のうち、第２装着筒部１０１の内側に位置する部分から後方に向けて延び、第１装着筒部９２の内側に密に嵌合する第２嵌合筒部１０２と、を備えている。
【００６０】
第２装着筒部１０１は、第１装着筒部９２に対して前方に抜け止めがされた状態で、軸線Ｏ３回りに回転可能に外嵌されることで装着されている。これにより、ノズル部材５は上述したように中継部材４に対して軸線Ｏ３回りに回転可能に装着されている。
【００６１】
第２嵌合筒部１０２は、ガイド軸部９４の外周面に形成された第１切換溝９７よりも後方に向かって延びており、後端部が第１嵌合筒部９３の内側に軸線Ｏ３回りに回転可能に嵌合している。この際、第２嵌合筒部１０２の内周面は、ガイド軸部９４の外周面に対して軸線Ｏ３回りに回転可能に密に接触している。
【００６２】
第２嵌合筒部１０２の内周面には、図２及び図３に示すように、軸線Ｏ３に沿って直線状に延びると共に、後方に開口する第２切換溝１０３が形成されている。図示の例では、第２切換溝１０３は周方向に等間隔をあけて２つ形成されていると共に、ノズル部材５を後述する連通位置Ｐ１に位置決めしたときに、第１切換溝９７に対して連通するように形成されている。
なお、第２切換溝１０３の数は２つに限定されるものではなく、例えば１つ或いは３つ以上形成されていても良く、第１切換溝９７の数に対応して配置することが好ましい。
【００６３】
図２に示すように、ノズル部材５は、第２装着筒部１０１と第２嵌合筒部１０２との間に位置すると共にノズル壁部１００から後方に向けて延び、第１装着筒部９２の内側に軸線Ｏ３回りに回転可能に嵌合するサポート筒部１０５と、ノズル壁部１００の外周縁部から後方に向けて延び、第２装着筒部１０１を径方向外側から囲繞する外郭筒部１０６と、をさらに備えている。
【００６４】
サポート筒部１０５は、第１装着筒部９２の内側に嵌合することで、第２装着筒部１０１との間で第１装着筒部９２を径方向に挟んでいる。これにより、第１装着筒部９２に対して第２装着筒部１０１をより安定した状態で嵌合させることができる。よって、サポート筒部１０５は、第２装着筒部１０１の嵌合をサポートし、中継部材４に対するガイド部材５のより安定した装着性能の向上に寄与する。
ただし、サポート筒部１０５は、必須なものではなく具備しなくても構わない。
【００６５】
外郭筒部１０６は、カバー体５５の前縁部に対して近接する位置まで後方に延びており、中継部材４の全周を径方向外側から覆っている。なお、外郭筒部１０６は軸線Ｏ３方向から見た正面視で、例えば円形状、楕円状、或いは多角形状（三角形状等）に形成されている。
【００６６】
ノズル孔６は軸線Ｏ３と同軸に配置された状態でノズル壁部１００に形成されている。
ノズル壁部１００の後面のうち、第２嵌合筒部１０２の内側に位置する部分には、図２及び図３に示すように、ノズル孔６に連通すると共に周方向に内容液を内部で旋回させる凹状のスピン室１１０と、スピン室１１０から第２嵌合筒部１０２の内周面に向けて延び、スピン室１１０内に内容液を送り込むスピン溝１１１と、が形成されている。
【００６７】
スピン室１１０は、前方に向かって窪むように形成されると共に、軸線Ｏ３方向から見た正面視で円形状に形成されている。
スピン溝１１１は、例えばスピン室１１０における内周壁の接線方向に延びるように形成され、上述した第１切換溝９７からの内容液をスピン室１１０内に送り込む。これにより、スピン室１１０内で周方向に旋回するようなスピンを内容液に作用させることができ、スピンのかかった内容液をノズル孔６に導くことができる。
【００６８】
図示の例では、スピン溝１１１は周方向に間隔をあけて２つ形成されている。この際、第２嵌合筒部１０２の内周面側に位置するスピン溝１１１の入口と、第２嵌合筒部１０２の内周面に形成された第２切換溝１０３とは、軸線Ｏ３方向から見て周方向位置が同じ位置となるように形成されている。
【００６９】
従って、中継部材４に対してノズル部材５を軸線Ｏ３回りに回転させて、図４に示すように、第２嵌合筒部１０２の内周面に形成された第２切換溝１０３の周方向位置と、ガイド軸部９４の外周面に形成された第１切換溝９７の周方向位置とを一致させることで、第１切換溝９７及び第２切換溝１０３を介してスピン溝１１１内と環状空間９６内とを連通させることができる。
つまり、ノズル孔６と射出筒部１１内とを、スピン室１１０、スピン溝１１１、第２切換溝１０３、第１切換溝９７、環状空間９６及び連通孔９５を通じて連通させることができ、内容液を射出筒部１１内からノズル孔６に供給することが可能となる。
【００７０】
このように本実施形態では、ノズル部材５を軸線Ｏ３回りに回転させることで、スピン室１１０、スピン溝１１１、第２切換溝１０３、第１切換溝９７、環状空間９６及び連通孔９５を通じた、ノズル孔６と射出筒部１１内との連通、及びその遮断を切り換えることができる。つまり、ノズル部材５を軸線Ｏ３回りに回転させ、所定回転位置に位置させたときにだけノズル孔６と射出筒部１１内とを連通させることができ、それ以外の回転位置では非連通状態とすることができる。
なお、図４に示すように、ノズル孔６と射出筒部１１内とが連通するノズル部材５の回転位置を連通位置Ｐ１といい、図３に示すように、ノズル孔６と射出筒部１１内との連通が遮断される回転位置を遮断位置Ｐ２という。よって、ノズル部材５は、連通位置Ｐ１と遮断位置Ｐ２との間で軸線Ｏ３回りに回転可能とされている。
【００７１】
ノズル孔６は、ノズル部材５を連通位置Ｐ１に位置させたときに内容液の噴射が可能となる噴射可能状態となり、ノズル部材５を遮断位置Ｐ２に位置させときに内容液の噴射が規制される噴射規制状態となる。従って、ノズル部材５を連通位置Ｐ１と遮断位置Ｐ２との間で回転させることで、噴射可能状態と噴射規制状態との切り換えを行うことが可能とされている。
【００７２】
なお、図２に示すように、第１嵌合筒部９３と第２嵌合筒部１０２とは互いに密に嵌合されているので、上記環状空間９６内から内容液が第１嵌合筒部９３と第２嵌合筒部１０２との間の隙間を通って、第１装着筒部９２と第２嵌合筒部１０２との間に画成される空間内に入り込むことがない。従って、内容液は、第１嵌合筒部９３内及び第２嵌合筒部１０２内において、射出筒部１１内からノズル孔６側に向かって供給される。
また、上述した第１切換溝９７及び第２切換溝１０３は、第２嵌合筒部１０２とガイド軸部９４との間に形成され、中継部材４に対するノズル部材５の回転に伴って、第１嵌合筒部９３内及び第２嵌合筒部１０２内を通じた、射出筒部１１内とノズル孔６との連通及びその遮断を切り換える切換通路１１５を構成する。
【００７３】
つまり、切換通路１１５は、ガイド軸部９４の外周面に形成され、ノズル孔６に連通する第１切換溝９７と、第２嵌合筒部１０２の内周面に形成され、射出筒部１１内に連通する第２切換溝１０３と、を備えている。そして、第２切換溝１０３は、ノズル部材５が連通位置Ｐ１に位置したときに第１切換溝９７に連通すると共に、ノズル部材５が遮断位置Ｐ２に位置したときに第１切換溝９７との連通が遮断される。
【００７４】
なお、中継部材４に対するノズル部材５の組み合わせを行う際、第２嵌合筒部１０２の内側にガイド軸部９４が進入するので、第２嵌合筒部１０２は径方向外側に向けて変位、すなわち拡径するような応力を受け易い。特に、第２嵌合筒部１０２は、第２切換溝１０３によって一部が薄肉化されているので拡径し易い傾向にある。
しかしながら、第２嵌合筒部１０２は第１嵌合筒部９３の内側に嵌合されているので、第１嵌合筒部９３によって拡径変形等、径方向外側への変位が抑制されている。従って、第１嵌合筒部９３が形成されていない場合に比べて、径方向外側への第２嵌合筒部１０２の変位を効果的に抑制することができ、変位に起因した割れ等が第２嵌合筒部１０２に生じることを防止することができる。
【００７５】
さらにノズル部材５には、内容液の噴射態様を泡状に切り換えるための切換プレート１２０が取り付けられている。
切換プレート１２０は、左右方向に延びる軸部１２１回りに開閉可能に取り付けられている。なお、図示の例では、軸部１２１はノズル壁部１００における上端部の前方側に配置されている。
切換プレート１２０にはノズル孔６の前方に位置する部分に泡孔１２２が形成されている。これにより、切換プレート１２０を利用する場合には、ノズル孔６と切換プレート１２０との間で、ノズル孔６から噴射された内容液と外気とを混合させて泡状にすることができ、泡状の内容液を泡孔１２２から前方に向けて噴射させることが可能とされている。
ただし、切換プレート１２０は必須なものではなく、具備しなくても構わない。
【００７６】
（トリガー式液体噴出器の作用）
次に、上述のように構成されたトリガー式液体噴出器１を使用する場合について説明する。なお、トリガー部５１の複数回の操作によって、トリガー式液体噴出器１の各部内に内容液が充填され、縦供給筒部１０から内容液を吸い上げることができる状態になっているものとする。また、図４に示すようにノズル部材５が連通位置Ｐ１に位置決めされているものとする。
【００７７】
図１に示すトリガー部５１を弾性板部５４の付勢力に抗して後方に引くと、トリガー部５１の後方移動に伴って主ピストン５２が後退するので、主シリンダ５３内の内容液を、第１貫通孔６６及び第２貫通孔６７を通じて縦供給筒部１０の内筒１３に導入することができる。すると、内筒１３に導入された内容液は、ボール弁３６を押し下げて閉弁させると共に、吐出弁３０を押し上げて開弁させるので、内側吐出孔１７及び外側吐出孔１６を通じて射出筒部１１内に内容液を加圧した状態で供給することができる。
【００７８】
すると、ノズル部材５が連通位置Ｐ１に位置決めされているので、射出筒部１１内に供給された内容液を、連通孔９５、環状空間９６、第２切換溝１０３及び第１切換溝９７を通じてスピン溝１１１内に供給することができる。これにより、内容液をスピン溝１１１に沿って流動させながらスピン室１１０内に供給することができ、ノズル孔６から前方に向けて内容液を噴射させることができる。
【００７９】
特に、スピン室１１０内で内容液を十分に旋回させることができるので、切換プレート１２０を利用しない場合には、スピンがかかった内容液をノズル孔６から前方に向けて霧状に噴射させることができる。また、切換プレート１２０を利用した場合には、ノズル孔６から噴射された内容液と外気とを混合させることができ、泡孔１２２から前方に向けて泡状の内容液を噴射させることができる。
【００８０】
なお、内容液の噴射後、トリガー部５１を解放すると、弾性板部５４の弾性復元力によってトリガー部５１が前方に付勢されて元の位置に復帰するので、これに伴って主ピストン５２が前方移動する。そのため、主シリンダ５３内に負圧が生じ、この負圧によって、吐出弁３０を閉弁した状態で、パイプ１５を通じて容器体Ａ内の内容液を縦供給筒部１０に吸い上げることができる。
すると、新たに吸い上げられた内容液は、ボール弁３６を押し上げて開弁させ、主シリンダ５３内に導入される。これにより、次の噴射に備えることができる。
【００８１】
一方、内容液の噴射後にトリガー式液体噴出器１を保管する場合や、商品流通時等においては、中継部材４に対してノズル部材５を軸線Ｏ３回りに回転させて、図３に示すように遮断位置Ｐ２に位置させる。
これにより、第１切換溝９７と第２切換溝１０３との連通を遮断することができるので、切換通路１１５を通じて内容液が射出筒部１１内からノズル孔６側に供給されることを規制できる。従って、ノズル孔６を通じた内容液の噴射を規制した噴射規制状態に移行させることができ、ノズル孔６からの液漏れを抑制した状態で、トリガー式液体噴出器１の保管や流通等を行うことができる。
【００８２】
上述のように、中継部材４に対してノズル部材５を軸線Ｏ３回りに回転させて、連通位置Ｐ１と遮断位置Ｐ２との間を移動させる操作を行うことで、切換通路１１５を利用して射出筒部１１内とノズル孔６との連通及びその遮断を切り換えることができる。従って、中継部材４に対してノズル部材５を回転させるだけの簡便な操作で、噴射可能状態と噴射規制状態とを速やかに切り換えることができるので、操作性に優れている。
【００８３】
特に本実施形態では、図２に示すように射出筒部１１内からの内容液は、環状空間９６内に供給された後、第１嵌合筒部９３と第２嵌合筒部１０２との間の隙間を通って第１装着筒部９２と第２嵌合筒部１０２との間に画成される空間内に入り込むことがない。
従って、保管や商品流通時等において噴射規制状態にした場合に、仮にトリガー部５１の操作等によってトリガー式液体噴出器１内の内圧が上昇したとしても、第１装着筒部９２よりも小径の第１嵌合筒部９３内で内圧が上昇するだけであるので、この内圧上昇によってノズル部材５が受ける応力を低減することができる。
【００８４】
つまり、ノズル部材５は、第１嵌合筒部９３内の内圧によって前方に向けて押され、中継部材４から離間するような応力を受けるが、第１嵌合筒部９３が第１装着筒部９２よりも小径とされているので、第１装着筒部９２内に内容液が存在していた従来に比べて、ノズル部材５が上記応力を受ける受圧面積を低減することができる。
しかも、ノズル部材５が遮断位置Ｐ２に位置して噴射規制状態となっている場合には、切換通路１１５を内容液が流れることができないので、環状空間９６内に内容液を留めることができる。従って、ノズル部材５の受圧面積をさらに低減することができる。
【００８５】
なお、ノズル部材５の受圧面積は、例えばノズル部材５及び中継部材４を軸線Ｏ３に直交する仮想上の投影面に投影したときに、投影面において軸線Ｏ３と同軸に現れる環状空間９６の投影面積に相当する。
【００８６】
上述のように、ノズル部材５に作用する受圧面積自体を低減することができるので、ノズル部材５が前方に向けて押されてしまうことを抑制することができる。これにより、中継部材４とノズル部５とを安定に組み合わせた状態にすることができ、中継部材４に対するノズル部材５の組み付けを安定に維持することができる。
その結果、噴射規制状態とされている場合において液漏れを生じ難くさせることができると共に、噴射可能状態とされている場合において内容液を安定且つ精度良く噴射させることができる。
【００８７】
以上説明したように、本実施形態のトリガー式液体噴出器１によれば、ノズル部材５の組み付けを安定に維持することができるので、内容液を安定且つ精度良く噴射させることができる。従って、作動の信頼性が向上した高品質なトリガー式液体噴出器１とすることができる。また、保管時や商品流通時においては、液漏れを効果的に抑制することができる。
【００８８】
また、ノズル部材５の組み付けを安定に維持することができるので、ノズル部材５の回転操作をがたつき少なくスムーズに行うことができる。また、第１嵌合筒部９３の内側に第２嵌合筒部１０２を密に嵌合させているので、ノズル部材５のシール径（すなわち第２嵌合筒部１０２の直径）を小さくできる。従って、ノズル部材５を回転させる際のシール抵抗を低減することができる。
具体的には、第１装着筒部９２内に内容液が存在していた従来の場合には、サポート筒部１０５がシール筒部として機能し、シール筒部であるサポート筒部１０５と第１装着筒部９２との間でシールを行っていたので、シール筒部１０５の外周面と第１装着筒部９２の内周面との間の摺動面積がシール面積となる。また、第１装着筒部９２の直径がシール径となる。
これに対して本実施形態の場合には、第１嵌合筒部９３と第２嵌合筒部１０２との間で内容液をシールするので、第１嵌合筒部９３の内周面と第２嵌合筒部１０２の外周面との間の摺動面積（シール面積）を上記従来に比べて低減することができる。このようなことから、先に述べたように、ノズル部材５を回転させる際のシール抵抗を低減することができる。
【００８９】
なお、本発明の技術範囲は、上記実施形態に限定されるものではなく、本発明の趣旨を逸脱しない範囲において、種々の変更を加えることが可能である。
【００９０】
例えば上記実施形態では、液体噴出器の一例としてトリガー式の液体噴出器１を例に挙げて説明したが、この場合に限定されるものではない。例えば、押下ヘッドを有するポンプ式の液体噴出器に適用しても構わないし、エアゾール容器に装着する液体噴出器に適用しても構わない。
【００９１】
また、上記実施形態では、ノズル部材５を連通位置Ｐ１と遮断位置Ｐ２との間で軸線Ｏ３回りに回転させることで、噴射可能状態と噴射規制状態との切り換えを行ったが、この場合に限定されるものではない。例えば中継部材４に対してノズル部材５を軸線Ｏ３方向にスライド移動させることで、連通位置Ｐ１と遮断位置Ｐ２とに位置させ、このスライド移動によって噴射可能状態と噴射規制状態とを切り換えても構わない。
いずれにしても、中継部材４に対してノズル部材５を相対移動可能に組み合わせ、ノズル部材５を連通位置Ｐ１と遮断位置Ｐ２との間で移動（回転移動や直線移動も含む）させることで、噴射可能状態と噴射規制状態とを切り換えても構わない。
【００９２】
さらに、中継部材４に対してノズル部材５を相対移動不能に組み合わせても構わない。
この場合には、例えば切換プレート１２０に代えて、中継部材４にノズル孔６を開放可能に塞ぐ閉塞プレートを回動可能（開閉可能）に取り付け、閉塞プレートの開閉によってノズル孔６自体を直接的に開放及び閉塞させれば良い。このように構成することで、閉塞プレートの開閉に伴って、ノズル孔６を噴射可能状態と噴射規制状態とに切り換えることができる。
なお、中継部材４に対してノズル部材５を相対移動不能に組み合せた場合には、ガイド軸部９４及び切換通路１１５を省略して、第１嵌合筒部９３内をノズル孔６に常時連通させれば良い。この場合であっても、小径の第１嵌合筒部９３内に内容液を供給できるので、ノズル部材５の受圧面積を従来よりも低減することができ、同様の作用効果を奏功することができる。
【００９３】
ただし、上記実施形態のように、ガイド軸部９４及び切換通路１１５を具備し、且つノズル部材５を軸線Ｏ３回りに回転可能に構成することで、ガイド軸部９４の分だけ受圧面積をさらに低減できるので好ましい。さらには、射出筒部１１内からノズル孔６に至るまでの内容液の流通経路の容積を小さくすることができるので、内容液を加圧した状態で噴射させることができ、噴射性能を向上することができる。
【００９４】
また、上記実施形態では、ノズル壁部１００の後面にスピン室１１０及びスピン溝１１１を形成し、切換プレート１２０を利用しない場合にノズル孔６から内容液を霧状に噴射させたが、スピン室１１０及びスピン溝１１１は必須なものではなく、具備しなくても構わない。
【００９５】
その他、本発明の趣旨に逸脱しない範囲で、前記実施形態における構成要素を周知の構成要素に置き換えることは適宜可能であり、また、前記した変形例を適宜組み合わせてもよい。
【符号の説明】
【００９６】
Ａ…容器体
Ｐ１…連通位置
Ｐ２…遮断位置
Ｏ３…ガイド軸部の軸線
１…トリガー式液体噴出器（液体噴出器）
２…噴出器本体
４…中継部材
５…ノズル部材
６…ノズル孔
１１…射出筒部
９０…隔壁（閉塞壁部）
９２…第１装着筒部（装着筒部）
９３…第１嵌合筒部
９４…ガイド軸部
１００…ノズル壁部
１０２…第２嵌合筒部
１１５…切換通路
【図１】
2018103105.tif 000003
【図２】
2018103105.tif 000004
【図３】
2018103105.tif 000005
【図４】
2018103105.tif 000006